(57)【要約】      （修正有）【課題】ガイド軸に沿って走査されるキャリッジに設けた吐出ノズルからインクを被記録媒体に吐出して画像を形成するインクジェット記録装置において、キャリッジをシャーシに組み込みまたは分解する作業性を向上する。【解決手段】ガイド軸１０２，１０３をシャーシ１００に設けられているＶ字状の４ヶ所の溝１００Ａ，１００Ｂ，１００Ｃ，１００Ｄで支持し、ガイド軸加圧バネ１０４，１０５をカバー１０１にもち、該カバー１０１を前記シャーシ１００に固定することにより、前記ガイド軸１０２，１０３を前記シャーシ１００に付勢する。【選択図】図５
2005169714.tif 000002
【特許請求の範囲】
【請求項１】
ガイド軸に沿って走査されるキャリッジに設けた吐出ノズルからインクを被記録媒体に吐出して画像を形成するインクジェット記録装置において、シャーシと、シャーシの少なくとも一部分を覆うカバーとガイド軸を弾性的に付勢する付勢部材とを備え、ガイド軸はシャーシに支持され、付勢部材はカバーに支持され、カバーをシャーシに固定することにより付勢部材がガイド軸をシャーシに対し付勢することを特徴とするインクジェット記録装置。
【発明の詳細な説明】
【技術分野】
【０００１】
本発明はインクジェット記録装置に関する。
【背景技術】
【０００２】
キヤリッジを支持するガイド軸はシャーシに設けた穴に通され弾性的に掛止する掛止部材（バネ）で付勢されている。
【特許文献１】特開平７−６８９０２号公報
【発明の開示】
【発明が解決しようとする課題】
【０００３】
上記従来例では、キャリッジをシャーシに組み込む際には、キャリッジにガイド軸を挿入した状態でガイド軸をシャーシに通しバネを掛ける必要がある。
【０００４】
このバネは小さくまた圧力が高いためにバネを掛ける組み立て作業性が悪い問題がある。
【０００５】
また、シャーシからキャリッジを取り外す際（分解）には、ガイド軸に掛かっているバネをとりはずし、ガイド軸をシャーシから抜く必要がある。
【０００６】
同様にばねは小さく圧力が高いためにバネをとりはずす分解作業性が悪い問題がある。
【０００７】
本発明は上記問題を解決し、組み立て作業性と分解作業性の良いガイド軸の付勢方法を提供することである。
【課題を解決するための手段】
【０００８】
ガイド軸に沿って走査されるキャリッジに設けた吐出ノズルからインクを被記録媒体に吐出して画像を形成するインクジェット記録装置において、シャーシと、シャーシの少なくとも一部分を覆うカバーとガイド軸を弾性的に付勢する付勢部材とを備え、ガイド軸はシャーシに支持され、付勢部材はカバーに支持され、カバーをシャーシに固定することにより係止部材がガイド軸をシャーシに対し加圧し付勢することにより、ガイド軸の組み立て作業性と分解作業性の向上を図れる。
【発明の効果】
【０００９】
ガイド軸に沿って走査されるキャリッジに設けた吐出ノズルからインクを被記録媒体に吐出して画像を形成するインクジェット記録装置において、シャーシと、シャーシの少なくとも一部分を覆うカバーとガイド軸を弾性的に係止する係止部材とを備え、ガイド軸はシャーシに支持され、係止部材はカバーに支持され、カバーをシャーシに固定することにより係止部材がガイド軸をシャーシに対し加圧し固定することにより、ガイド軸の組み立て作業性と分解作業性を向上する効果がある。
【発明を実施するための最良の形態】
【００１０】
図１乃至図４及び図８は本発明の実施例のキャリッジを示す図であり、図１は斜視図、図２は側面図、図３は構成図、図４はヘッドユニットの説明図（断面図）、図８はユニット構成図である。
【００１１】
図において、１は第１ユニットであるヘッドユニット、２０は第２ユニットであるセンサーユニットである。
【００１２】
ヘッドユニット１とセンサーユニット２０でキャリッジであるキャリッジユニット３０が構成される。
【００１３】
ヘッドユニット１において、２は枠体であり、枠体２には、ガイド軸１０２用の軸受け６が右端部に固定されていて、ガイド軸１０３用の小判型の軸受け７が左側端部に枠体２と一体的に成形されている。
【００１４】
１２，１３は枠体２に設けられた位置決め穴である。
【００１５】
８は枠体２内に一体的に成形されるインク室であり、必要な室数が成形される。
【００１６】
本実施例の場合は、イエロー、マゼンタ、イエローの３色対応の３室が設けられている。
【００１７】
９はインクを保持する機能を持つインク吸収体であり、一例としてポリプロピレン繊維を積層し、固めたものが使用され、インク室８内のほぼ全域に圧縮されて収納されている。
【００１８】
１０はインク中の固形物を除去し、後述する記録ヘッド３のインク吐出ノズルを構成するオリフィスのごみつまりを防止するフィルターであり、ＳＵＳワイヤーの積層体等で形成される。
【００１９】
５は蓋である。
【００２０】
３は記録ヘッドであり、インクが吐出されるインク吐出ノズルを構成するオリフィスがその表面（図では下面）上に形成されるとともに、インクを吐出されるための複数のヒーターが組み込まれているヒーターボードから成る。
【００２１】
４はＴＡＢ基板であり、記録ヘッド３が実装され、端部に後述するコネクタ２３との接続部１１が形成される。
【００２２】
センサーユニット２０において、２１はエンコーダーセンサー、２２はフレキシブルケーブル、２３はコネクタ、２４はセンサーホルダーである。
【００２３】
エンコーダーセンサー２１は公知の反射式光学センサーで、後述するカバー１０１に固定されたリニアスケール１０６とにより、キヤリッジの位置が検出される。
【００２４】
フレキシブルケーブル２２上にはエンコーダーセンサー２１とコネクタ２３が実装されており、端部には不図示の制御部のコネクタとの接続部２９が設けられている。
【００２５】
２５，２６、２９，３０はセンサーホルダー２４に設けられた位置決めピン、２７，２８はフレキシブルケーブル２２に設けられた位置決め穴である。
【００２６】
センサーホルダー２４には、エンコーダーセンサー２１とコネクタ２３が実装されたフレキシブルケーブル２２が位置決めピン２５，２６と位置決め穴２７，２８により位置決めされ接着固定されている。
【００２７】
１４はコネクタカバーで、後述するフォロワーバネ１２０がＴＡＢ基板４に接触することを防止している。
【００２８】
１５，１６は固定ビスである。
【００２９】
ヘッドユニット１は、センサーホルダー２４に設けられた位置決めピン２９，３０と筐体２に設けられた位置決め穴１２，１３によって位置決めされ、２個の固定ビス１５，１６によってコネクタカバー１４とともに、センサーユニット２０に固定される。
【００３０】
センサーユニット２０に設けられたフレキシブルケーブル２２に実装されたコネクタ２３と記録ヘッド３が接続されたＴＡＢ基板４を接続することによりヘッドユニット１に設けられた記録ヘッド３とセンサーユニット２０に設けられたフレキシブルケーブル２２とが電気的に接続される。
【００３１】
フレキシブルケーブル２２の接続部２９を不図示の制御部のコネクタと接続することにより、エンコーダーセンサー２１及び記録ヘッド３と制御部が電気的に接続される。
【００３２】
図５、図６は本実施例のインクジェット記録装置のキャリッジ駆動機構の説明図であり、図７はガイド軸付勢部の説明図、図９はガイド軸加圧バネ取り付け部の説明図である。
【００３３】
１００はシャーシ、１０１はシャーシの上面を覆うカバーである。シャーシ１００とカバー１０１でプリンタの筐体を構成する。
【００３４】
１０２、１０３はガイド軸である。
【００３５】
図９はカバー１０１のガイド軸加圧バネ１０４の取り付け部を示し、カバーをシャーシに固定していない状態の図である。
【００３６】
１０４は付勢部材であるガイド軸加圧ばねでカバー１０１の突起部１０１Ａに取り付けられ、腕１０４Ａ，１０４Ｂをそれぞれカバーのバネかけ部１０１Ｂ，１０１Ｃにかけている。
【００３７】
この時、ガイド軸加圧バネ１０４は腕部１０４Ａ，１０４Ｂはカバーのバネかけ部１０１Ｂ，１０１Ｃに弱い加圧力を加えた状態でとまっているため、カバー１０１からはずれることは無い。
【００３８】
また不図示であるが１０４の反対側にも同様に付勢部材であるガイド軸加圧ばね１０５が設けられている。
【００３９】
図５図、図７を用いて、ガイド軸１０２，１０３のシャーシ１００に対する付勢方法について説明する。
【００４０】
シャーシ１００には先端がＶ字状の４ヶ所の溝１００Ａ，１００Ｂ，１００Ｃ，１００Ｄが設けられている。
【００４１】
この溝１００Ａ，１００Ｂにガイド軸１０２が、溝１００Ｃ，１００Ｄにガイド軸１０３が挿入されている。
【００４２】
カバー１０１をシャーシ１００に固定すると、カバー１０１にとりつけられたガイド軸加圧ばねの腕部１０４Ａ，１０４Ｂがガイド軸１０２，１０３に当接すると共に、カバーのバネかけ部１０１Ｃ，１０１Ｄからはずれる。
【００４３】
不図示のガイド軸軸加圧バネ１０５も同様である。
【００４４】
こうして、ガイド軸加圧バネ１０４、１０５は、ガイド軸１０２，１０３を溝１００Ａ，１００Ｂ，１００Ｃ，１００ＤのＶ字状の部分に加圧し、ガイド軸１０２，１０３はシャーシ１００にたいしてガタなく付勢される。
【００４５】
図５、図６を用いて、キャリッジ駆動機構を説明する。
【００４６】
ガイド軸１０２は軸受け６によってキャリッジユニット３０を摺動自在に支持し、ガイド軸１０３は軸受け７を貫通しキャリッジユニット３０の回転方向の動きを規制している。
【００４７】
このようにキャリッジユニット３０は、記録ヘッド３の両端で筐体２に設けられた軸受け６，７でガイド軸１０２，１０３により支持されているために、ガタがなく、ガイド軸上をぶれなく、高速で安定して移動することができる。
【００４８】
１０６はリニアスケールでカバー１０１のエンコーダーセンサーに対向する位置に固定されている。
【００４９】
１０７はリードスクリュウ、１０８はリードスクリュウ軸受けＡ、１０９はリードスクリュウギヤであり、リードスクリュウギヤ１０９はリードスクリュウ軸受けＡ１０８を挟んでリードスクリュウに圧入固定されている。
【００５０】
リードスクリュウ軸受けＡ１０８がリードスクリュウ１０７に対し回転自在であることは言うまでもない。
【００５１】
１１０はリードスクリュウ軸受けＢである。
【００５２】
１１１はリードスクリュウフォロワーで後述するようにリードスクリュウ１０７と係合している。
【００５３】
リードスクリュウ１０７はリードスクリュウ軸受けＡ１０８及びリードスクリュウ軸受けＢ１１０によりシャーシ１０１に回転自在に軸支されている。
【００５４】
なおリードスクリュウ１０７とガイド軸１０２，１０３は互いに平行に構成されている。
【００５５】
１５０はアイドラギヤである。
【００５６】
１６０はアイドラ軸であり、シャーシ１０１に固定されている。
【００５７】
アイドラギヤ１５０はアイドラ軸１６０に回転自在に軸支されている。
【００５８】
１１２はモーター、１１３はモーターホルダー、１１４はモーターギヤである。
【００５９】
モーターギヤ１１４はモーター１１２の回転軸に圧入固定されている。
【００６０】
モーター１１２はモーターホルダー１１３に固定されている。
【００６１】
モーターホルダー１１３を介してモーター１１２をシャーシ１０１に固定する。
【００６２】
モーター１１２による回転力はモーターギヤ１１４からアイドラギヤ１５０を介しリードスクリュウギヤ１０９に伝達され、リードスクリュウ１０７を回転させる。
【００６３】
リードスクリュウ１０７の外周部には螺旋溝が形成され、リードスクリュウフォロワー１１１の内周部にはリードスクリュウの螺旋溝と係合する螺旋溝が形成されている。
【００６４】
リードスクリュウ１０７とリードスクリュウフォロワー１１１は互いに係合し、リードスクリュウの回転がリードスクリュウフォロワー１１１に伝えられる。
【００６５】
リードスクリュウフォロワー１１１の突起部１１１Ａはヘッドユニット１の筐体２に設けられた穴２Ａにリードスクリュウ１０７と直交する方向に挟みこまれる形で挿入されており、リードスクリュウ１０７から伝えられた回転運動を、キャリッジユニット３０のガイド軸１０２，１０３の軸方向の直線運動に変換する。
【００６６】
なお、リードスクリュウフォロワー突起部１１１Ａと筐体穴部２Ａはリードスクリュウ１０７と直行する方向には挟みこまれる反面、ガイド軸１０２の軸方向は隙間を設けているが、これはフォロワーバネ１２０によりガタどりされている。
【００６７】
このように、リードスクリュウからの回転運動を、リードスクリュウフォロワー１１１と筐体の穴部２Ａにより直線運動に変換することにより、キャリッジユニット３０をガイド軸１０２にそって移動することができる。
【００６８】
プリンタ本体へのキャリッジユニット３０の組み込み方法を説明する。
【００６９】
１．キャリッジユニットの２箇所の軸受６，７にガイド軸１０２，１０３を差しこむ。
【００７０】
２．筐体の穴部２Ａにリードスクリュウフォロワーの先端部１１１Ａを差し込む位置で、ガイド軸１０２，１０３をシャーシの溝１００Ａ，１００Ｂ，１００Ｃ，１００Ｄに挿入し、筐体の穴部２Ａにリードスクリュウフォロワーの先端部１１１Ａを差し込む。
【００７１】
３．カバー１０１を上方からシャーシ１００に固定する。
【００７２】
カバーをシャーシに組み込むことにより２個のガイド軸加圧ばね１０４，１０５が４箇所で２本のガイド軸１０２，１０３をシャーシに形成された溝１００Ａ，１００Ｂ，１００Ｃ，１００ＤのＶ字状の部分に向かって加圧するためにガイド軸１０２，１０３はガタなくシャーシ１０１に取り付けられる。
【００７３】
プリンタ本体からキャリッジユニットのとりはずし方法を説明する。
【００７４】
１．カバー１０１をシャーシ１００から取り外す。
【００７５】
ガイド軸加圧ばね１０４，１０５がカバーに取り付けられているために、カバー１０１をはずすことにより、ガイド軸加圧バネ１０４，１０５の加圧が解除され、ガイド軸１０２，１０３はとりはずし可能になる。
【００７６】
２．ガイド軸１０２，１０３をシャーシから取り外す。
【００７７】
３．キャリッジユニット３０からガイド軸１０２，１０３を抜く。
【００７８】
この際にフォロワーの先端部もキャリッジから外れる。
【００７９】
４．コネターからＴＡＢ基板をはずす。
【００８０】
５．固定ビス１５，１６をはずし、コネクタカバー１４をはずし、センサーユニット２０からヘッドユニット１を取り外す。
【００８１】
このように、カバー１０１をシャーシ１００に固定、取り外しすることにより、ガイド軸１０２，１０３の加圧、解除を行うことができ、組み立て、分解性が良い。
【図面の簡単な説明】
【００８２】
【図１】本発明のキャリッジの斜視図
【図２】本発明のキャリッジの側面図
【図３】本発明のキャリッジの構成図
【図４】本発明のヘッドユニットの説明図（断面図）
【図５】本発明のインクジェット記録装置のキャリッジ駆動機構の説明図
【図６】本発明のインクジェット記録装置のキャリッジ駆動機構の説明図
【図７】本発明のインクジェット記録装置のガイド軸固定部の説明図
【図８】本発明のキャリッジのユニット構成図
【図９】ガイド軸加圧バネ取り付け部の説明図
【符号の説明】
【００８３】
１  ヘッドユニット
２  枠体
３  記録ヘッド
４  ＴＡＢ基板
５  蓋
６  軸受け
７  軸受け
８  インク室
９  インク吸収体
１０  フィルター
１１  接続部
１２  位置決め穴
１３  位置決め穴
１４  コネクタカバー
１５  固定ビス
１６  固定ビス
２０  センサーユニット
２１  エンコーダーセンサー
２２  レキシブルケーブル
２３  コネクタ
２４  センサーホルダー
２５  位置決めピン
２６  位置決めピン
２７  位置決め穴
２８  位置決め穴
２９  接続部
１００  シャーシ
１００Ａ  Ｖ字状の溝
１００Ｂ  Ｖ字状の溝
１００Ｃ  Ｖ字状の溝
１００Ｄ  Ｖ字状の溝
１０１  カバー
１０２  ガイド軸
１０３  ガイド軸
１０４  ガイド軸加圧ばね
１０５  ガイド軸加圧ばね
１０６  リニアスケール
１０７  リードスクリュウ
１０８  リードスクリュウ軸受けＡ
１０９  リードスクリュウギヤ
１１０  リードスクリュウ軸受けＢ
１１１  リードスクリュウフォロワー
１１２  モーター
１１３  モーターホルダー
１１４  モーターギヤ
１５０  アイドラギヤ
１６０  アイドラ軸
【図１】
2005169714.tif 000003
【図２】
2005169714.tif 000004
【図３】
2005169714.tif 000005
【図４】
2005169714.tif 000006
【図５】
2005169714.tif 000007
【図６】
2005169714.tif 000008
【図７】
2005169714.tif 000009
【図８】
2005169714.tif 000010
【図９】
2005169714.tif 000011